(57)【特許請求の範囲】
【請求項１】
カラー映像を表示する表示装置であって、
前記カラー映像の各色成分に対応する複数の表示パネルと、
入力された映像信号に基づいて、前記色成分毎の１フレーム分の画像データを各色のフレーム画像データとして記憶する複数のフレームメモリと、
前記各フレームメモリに記憶された各色のフレーム画像データに基づいて、前記色成分毎の駆動用画像データを生成する駆動用画像データ生成部と、
前記色成分毎の駆動用画像データに基づいて、前記複数の表示パネルのそれぞれを駆動する表示パネル駆動部と
を備え、
前記駆動用画像データ生成部は、
前記映像信号の１フレーム期間を複数のサブフレーム期間に分割し、前記複数のサブフレーム期間の内の第１のサブフレーム期間に、前記各フレームメモリに記憶された各色のフレーム画像データを、前記色成分毎の駆動用画像データとして出力する第１の出力部と、
前記複数のサブフレーム期間の内の第２のサブフレーム期間に、表示画全体が黒レベルとしての低輝度値で示される、黒サブフレーム画像データとしての少なくとも１以上の特定の色成分のサブフレーム画像データと、表示面全体が前記フレームメモリに記憶されたフレーム画像データに基づく画像データにより構成される、前記特定の色成分を除く他の色成分のサブフレーム画像データとを、前記色成分毎の駆動用画像データとして出力する第２の出力部と
を備え、
前記映像信号の１フレーム期間を前記色成分の数だけ足し加えた期間において、前記黒サブフレーム画像データが表示される回数が各色成分で均一となるように構成した、表示装置。
【請求項２】
請求項１に記載の表示装置であって、
前記第２の出力部は、
前記特定の色成分を前記複数の色成分の中から選択する組み合わせを、時間経過に従って順次切り替える黒挿入パターン変更部を備える、表示装置。
【請求項３】
請求項２に記載の表示装置であって、
前記黒挿入パターン変更部は、
前記切り替えの態様を定めるマップデータを予め複数記憶するマップデータ記憶部と、
前記マップデータ記憶部から１のマップデータを、前記映像信号に基づいて取得する取得部と、
前記取得したマップデータに従って前記切り替えを行う切替実行部と
を備える、表示装置。
【請求項４】
カラーの各色成分に対応する複数の表示パネルを備える表示装置においてカラー映像を表示する表示方法であって、
（ａ）入力された映像信号に基づいて、前記色成分毎の１フレーム分の画像データを各色のフレーム画像データとして記憶する工程と、
（ｂ）前記各色のフレーム画像データに基づいて、前記色成分毎の駆動用画像データを生成する工程と、
（ｃ）前記色成分毎の駆動用画像データに基づいて、前記複数の表示パネルのそれぞれを駆動する工程と
を備え、
前記工程（ｂ）は、
前記映像信号の１フレーム期間を複数のサブフレーム期間に分割し、前記複数のサブフレーム期間の内の第１のサブフレーム期間に、前記記憶された各色のフレーム画像データを、前記色成分毎の駆動用画像データとして出力する工程と、
前記複数のサブフレーム期間の内の第２のサブフレーム期間に、表示画全体が黒レベルとしての低輝度値で示される、黒サブフレーム画像データとしての少なくとも１以上の特定の色成分のサブフレーム画像データと、表示面全体が前記記憶されたフレーム画像データに基づく画像データにより構成される、前記特定の色成分を除く他の色成分のサブフレーム画像データとを、前記色成分毎の駆動用画像データとして出力する工程と
を備え、
前記映像信号の１フレーム期間を前記色成分の数だけ足し加えた期間において、前記黒サブフレーム画像データが表示される回数が各色成分で均一となるように構成した、表示方法。
【発明の詳細な説明】
【技術分野】
【０００１】
本発明は、カラー映像を表示する技術に関する。
【背景技術】
【０００２】
カラー映像を表示する表示装置として、液晶パネルを備えるものがある。液晶パネルは、外光や、フロントライト、バックライト等の光源により発せられた光を遮ったり透過させたりすることによって表示を行う。
【０００３】
液晶パネルは、ホールド型の表示デバイスであることから、残像による動画ボケが発生する。この動画ボケを抑制する技術として、映像信号に含まれるフレームの画像とフレームの画像との間に黒色画像を表示する技術がよく知られている（例えば、下記の特許文献１）。この黒色画像を表示することは「黒挿入」と呼ばれる。
【０００４】
なお、上記液晶パネルを備える表示装置の一つとして、赤（Ｒ）、緑（Ｇ）、青（Ｂ）に対応した３つの液晶ライトバルブを備えた３板式の液晶プロジェクタが提案されている。
【０００５】
【特許文献１】特開平１１−２０２２８５号公報
【０００６】
しかしながら、液晶パネルを備える表示装置では、黒挿入を行うことにより、表示したい映像の輝度が低下するという問題があった。特に、３板式の液晶プロジェクタでは、３つの液晶ライトバルブに黒挿入が行われることになり、映像の輝度低下は看過できないものであった。
【発明の開示】
【発明が解決しようとする課題】
【０００７】
本発明は、上記した従来の課題の少なくとも一部を解決するためになされた発明であり、輝度低下を抑えつつ、黒挿入による動画ボケの抑制を行うことを目的とする。
【課題を解決するための手段】
【０００８】
本発明は、上述の課題の少なくとも一部を解決するためになされたものであり、以下に示す形態をとった。
本発明の一形態は、
カラー映像を表示する表示装置であって、
前記カラー映像の各色成分に対応する複数の表示パネルと、
入力された映像信号に基づいて、前記色成分毎の１フレーム分の画像データを各色のフレーム画像データとして記憶する複数のフレームメモリと、
前記各フレームメモリに記憶された各色のフレーム画像データに基づいて、前記色成分毎の駆動用画像データを生成する駆動用画像データ生成部と、
前記色成分毎の駆動用画像データに基づいて、前記複数の表示パネルのそれぞれを駆動する表示パネル駆動部と
を備え、
前記駆動用画像データ生成部は、
前記映像信号の１フレーム期間を複数のサブフレーム期間に分割し、前記複数のサブフレーム期間の内の第１のサブフレーム期間に、前記各フレームメモリに記憶された各色のフレーム画像データを、前記色成分毎の駆動用画像データとして出力する第１の出力部と、
前記複数のサブフレーム期間の内の第２のサブフレーム期間に、表示画全体が黒レベルとしての低輝度値で示される、黒サブフレーム画像データとしての少なくとも１以上の特定の色成分のサブフレーム画像データと、表示面全体が前記フレームメモリに記憶されたフレーム画像データに基づく画像データにより構成される、前記特定の色成分を除く他の色成分のサブフレーム画像データとを、前記色成分毎の駆動用画像データとして出力する第２の出力部と
を備え、
前記第２の出力部は、
前記映像信号の１フレーム期間を前記色成分の数だけ足し加えた期間において、前記黒サブフレーム画像データが表示される回数が各色成分で均一となるように構成した、表示装置。
その他、本発明は、以下の形態又は適用例として実現することが可能である。
【０００９】
［適用例１］
カラー映像を表示する表示装置であって、
前記カラーの各色成分に対応する複数の表示パネルと、
入力された映像信号に基づいて、前記色成分毎の１フレーム分の画像データを各色のフレーム画像データとして記憶する複数のフレームメモリと、
前記各フレームメモリに記憶された各色のフレーム画像データに基づいて、前記色成分毎の駆動用画像データを生成する駆動用画像データ生成部と、
前記色成分毎の駆動用画像データに基づいて、前記複数の表示パネルのそれぞれを駆動する表示パネル駆動部と
を備え、
前記駆動用画像データ生成部は、
前記映像信号の１フレーム期間を複数のサブフレーム期間に分割し、前記複数のサブフレーム期間の内の少なくとも１つのサブフレーム期間において、黒レベルとしての低輝度値で示される黒レベル画像データを含む少なくとも１以上の特定の色成分のサブフレーム画像データと、前記フレームメモリに記憶されたフレーム画像データに基づく画像データを含む前記特定の色成分を除く他の色成分のサブフレーム画像データとが表示されるように、前記色成分毎の駆動用画像データを定める構成である表示装置。
【００１０】
適用例１の表示装置によれば、フレームメモリに記憶された各色のフレーム画像データに基づいて、色成分毎の駆動用画像データが生成されるが、特に、映像信号の１フレーム期間の内の少なくとも１つのサブフレーム期間において、黒レベル画像データを含む特定の色成分の黒サブフレーム画像データと、フレーム画像データに基づく画像データを含む他の色成分のサブフレーム画像データとが表示される。このために、各色成分のサブフレーム画像データの全てに黒挿入を行う場合に比べて、黒挿入の割合を低下させることができる。黒挿入の割合を低下させると輝度低下を抑えることができ、それにもかかわらず、黒挿入による動画ボケの抑制を行うことができる。
【００１１】
［適用例２］
適用例１に記載の表示装置であって、前記映像信号の１フレーム期間の内の第１のサブフレーム期間に、前記各フレームメモリに記憶された各色のフレーム画像データを、前記色成分毎の駆動用画像データとして出力する第１の出力部と、前記映像信号の１フレーム期間の内の第２のサブフレーム期間に、表示画全体が前記低輝度値で示される、前記特定の色成分のサブフレーム画像データとしての黒サブフレーム画像データと、表示面全体が前記フレームメモリに記憶されたフレーム画像データに基づく画像データにより構成される、前記他の色成分のサブフレーム画像データとしての所定のサブフレーム画像データとを、前記色成分毎の駆動用画像データとして出力する第２の出力部とを備える、表示装置。
【００１２】
適用例２の表示装置によれば、映像信号の１フレーム期間の内の第１のサブフレーム期間に、各フレームメモリに記憶された各色のフレーム画像データが色成分毎の駆動用画像データとして出力される。映像信号の１フレーム期間の内の第２の期間には、特定の色成分において黒サブフレーム画像データが駆動用画像データとして出力され、他の色成分において所定のサブフレーム画像データが駆動用画像データとして出力される。このために、黒挿入を簡単な構成により行うことができる。
【００１３】
［適用例３］
適用例２に記載の表示装置であって、前記映像信号の１フレーム期間を前記色成分の数だけ足し加えた期間において、前記黒サブフレーム画像データが表示される回数が各色成分で均一となるように構成した、表示装置。
【００１４】
適用例３の表示装置によれば、黒挿入の割合を色成分毎に同一とすることができる。
【００１５】
［適用例４］
適用例２または３に記載の表示装置であって、前記所定のサブフレーム画像データは、前記フレームメモリに記憶されたフレーム画像データから予測した、フレーム間の中間画像を表すものである、表示装置。
【００１６】
適用例４の表示装置によれば、表示映像をより滑らかなものとすることができる。
【００１７】
［適用例５］
適用例２ないし４のいずれかに記載の表示装置であって、前記第２の出力部は、前記特定の色成分を前記複数の色成分の中から選択する組み合わせを、時間経過に従って順次切り替える黒挿入パターン変更部を備える、表示装置。
【００１８】
適用例５の表示装置によれば、各色成分についての動画ブレを抑制することができる。
【００１９】
［適用例６］
適用例５に記載の表示装置であって、前記黒挿入パターン変更部は、前記切り替えの態様を定めるマップデータを予め複数記憶するマップデータ記憶部と、前記マップデータ記憶部から１のマップデータを、前記映像信号に基づいて取得する取得部と、前記取得したマップデータに従って前記切り替えを行う切替実行部とを備える、表示装置。
【００２０】
適用例６の表示装置によれば、映像信号に応じた黒挿入の挿入パターンを選択することができることから、映像を高品質なものとすることができる。
【００２１】
［適用例７］
適用例１に記載の表示装置であって、前記駆動用画像データ生成部は、各色成分の一の表示面の中に表示部分と非表示部分とを含み、前記表示部分が前記フレームメモリに記憶されたフレーム画像データの一部により構成され、前記非表示部分が前記黒レベル画像データにより構成されるように、前記色成分毎の駆動用画像データを定める構成である、表示装置。
【００２２】
適用例７の表示装置によれば、各色成分の１画面中の一部分に対して黒挿入を行うことができる。したがって、黒挿入のパターンを種々に変化させたい要求に対応することが容易である。
【００２３】
他の適用例としての表示方法は、
カラーの各色成分に対応する複数の表示パネルを備える表示装置においてカラー映像を表示する表示方法であって、
（ａ）入力された映像信号に基づいて、前記色成分毎の１フレーム分の画像データを各色のフレーム画像データとして記憶する工程と、
（ｂ）前記各色のフレーム画像データに基づいて、前記色成分毎の駆動用画像データを生成する工程と、
（ｃ）前記色成分毎の駆動用画像データに基づいて、前記複数の表示パネルのそれぞれを駆動する工程と
を備え、
前記工程（ｂ）は、
前記映像信号の１フレーム期間を複数のサブフレーム期間に分割し、前記複数のサブフレーム期間の内の少なくとも１つのサブフレーム期間において、黒レベルとしての低輝度値で示される黒レベル画像データを含む少なくとも１以上の特定の色成分のサブフレーム画像データと、前記フレームメモリに記憶されたフレーム画像データに基づく画像データを含む前記特定の色成分を除く他の色成分のサブフレーム画像データとが表示されるように、前記色成分毎の駆動用画像データを定める構成である表示方法。
【００２４】
他の適用例としてのコンピュータプログラムは、
カラーの各色成分に対応する複数の表示パネルを制御するコンピュータにおいてカラー映像の表示を行うためのコンピュータプログラムにおいて、
入力された映像信号に基づいて、前記色成分毎の１フレーム分の画像データを各色のフレーム画像データとして記憶する機能と、
前記各色のフレーム画像データに基づいて、前記色成分毎の駆動用画像データを生成する機能と、
前記色成分毎の駆動用画像データに基づいて、前記複数の表示パネルのそれぞれを駆動する機能と
を前記コンピュータに実現させ、
前記駆動用画像データを生成する機能は、
前記映像信号の１フレーム期間を複数のサブフレーム期間に分割し、前記複数のサブフレーム期間の内の少なくとも１つのサブフレーム期間において、黒レベルとしての低輝度値で示される黒レベル画像データを含む少なくとも１以上の特定の色成分のサブフレーム画像データと、前記フレームメモリに記憶されたフレーム画像データに基づく画像データを含む前記特定の色成分を除く他の色成分のサブフレーム画像データとが表示されるように、前記色成分毎の駆動用画像データを定める構成である、コンピュータプログラム。
【００２５】
上記表示方法およびコンピュータプログラムによれば、適用例１の表示装置と同様に、輝度低下を抑えつつ、黒挿入による動画ボケの抑制を行うことができる。
【００２６】
本発明は、上記以外の種々の適用例又は形態で実現可能であり、例えば、適用例である表示装置を含むシステムの形態、適用例である表示装置を備える各種の装置（例えばプロジェクタ）としての形態等で実現することが可能である。
【発明を実施するための最良の形態】
【００２７】
次に、本発明の実施の形態を実施例に基づいて以下の順序で説明する。
Ａ．第１実施例：
Ａ−１．プロジェクタの構成：
Ａ−２．制御部の構成：
Ａ−３．制御処理の手順：
Ａ−４．効果：
Ｂ．第２実施例：
Ｃ．第１、第２実施例の変形例：
Ｄ．第３実施例：
Ｅ．他の変形例：
【００２８】
Ａ．第１実施例：
Ａ−１．プロジェクタの構成：
図１は、第１実施例におけるプロジェクタＰＪの概略構成を示す説明図である。プロジェクタＰＪは、図示しないスクリーン上に画像を投写するための投写光学系ＯＰと、投写光を制御する制御部ＣＴとを備える。
【００２９】
投写光学系ＯＰは、３板式透過型液晶（３ＬＣＤ）方式と呼ばれるもので、３枚の透過型の液晶ライトバルブ１０ｒ，１０ｇ，１０ｂを備える。液晶ライトバルブ１０ｒ，１０ｇ，１０ｂは、石英基板上にマトリックス状に画素を配列し、この画素に高温ポリシリコンで形成した薄膜トランジスタ（ＴＦＴ）を備えたアクティブマトリックス型のものである。液晶ライトバルブ１０ｒ，１０ｇ，１０ｂは、本発明の「表示パネル」に相当する。
【００３０】
投写光学系ＯＰは、光源ランプ２０からの白色光束をインテグレータと偏光変換光学系とからなる照明光学系３０により均質化および偏光方向を揃えた後、ダイクロイックミラー４０，５０によりＲ（赤）、Ｇ（緑）、Ｂ（青）の３色の光束Ｌｒ、Ｌｇ、Ｌｂに分離し、各光束Ｌｒ、Ｌｇ、Ｌｂをそれぞれの色に対応した液晶ライトバルブ１０ｒ、１０ｇ、１０ｂに照射する。
【００３１】
３枚の液晶ライトバルブ１０ｒ，１０ｇ，１０ｂは、制御部ＣＴから送られてくる各色の駆動信号Ｓｒ、Ｓｇ、Ｓｂを用いて、上記照射を受けた３色の光束Ｌｒ、Ｌｇ、Ｌｂを変調する。これにより、各液晶ライトバルブ１０ｒ，１０ｇ，１０ｂの射出面には、各色の画像を表す光（画像光）が形成される。
【００３２】
投写光学系ＯＰは、さらに、各色の上記画像光をダイクロイックプリズム６０により合成し、投写レンズ７０により図示しないスクリーン上に投影する。この結果、Ｒ，Ｇ，Ｂの３色を成分とするカラー映像がスクリーンに表示される。
【００３３】
プロジェクタＰＪは、プレーヤやビデオデッキ、パーソナルコンピュータなどの外部機器から映像信号ＡＶの入力を受けるが、制御部ＣＴは、この入力された映像信号ＡＶを取り込み、この映像信号ＡＶに基づいて上記各色の駆動信号Ｓｒ、Ｓｇ、Ｓｂを生成して、３枚の液晶ライトバルブ１０ｒ，１０ｇ，１０ｂに駆動信号Ｓｒ、Ｓｇ、Ｓｂを出力する。なお、本実施例では、入力される映像信号ＡＶは、１秒あたり６０枚のフレーム画像を示すアナログ映像信号であり、Ｒ，Ｇ，Ｂの３成分を含む。
【００３４】
Ａ−２．制御部の構成：
図２は、制御部ＣＴの構成を示すブロック図である。取り込んだ映像信号ＡＶは、信号変換回路１０２に入力され、アナログ信号からデジタル信号に変換される。このデジタル信号は、メモリ書込み制御部１０４により、Ｒ，Ｇ，Ｂの成分毎にフレームメモリ１１０ｒ，１１０ｇ，１１０ｂに書き込まれる。なお、映像信号ＡＶに含まれている同期信号に同期して順に１フレーム毎、フレームメモリ１１０ｒ，１１０ｇ，１１０ｂに書き込む。
【００３５】
メモリ読出し制御部１１２は、各フレームメモリ１１０ｒ，１１０ｇ，１１０ｂにそれぞれ記憶された各色の１フレーム分の画像データ、すなわちフレーム画像データ（Ｒ）ＦＬｒ、フレーム画像データ（Ｇ）ＦＬｇ、フレーム画像データ（Ｂ）ＦＬｂを、映像信号ＡＶに含まれている同期信号から定まる周期（フレーム周期）の２倍速で読み出す（すなわち、１フレーム周期の間に２回読み出す）。読み出されたフレーム画像データＦＬｒ，ＦＬｇ、ＦＬｂを、以下、「サブフレーム画像データＳＦｒ，ＳＦｇ、ＳＦｂ」と呼ぶ。各色のサブフレーム画像データＳＦｒ，ＳＦｇ、ＳＦｂは、中間画像データ生成部１２０および信号切替部１３０に送られる。
【００３６】
制御部ＣＴは、また、ＣＰＵ１４０とメモリ１４２とを備えている。ＣＰＵ１４０は、メモリ１４２に記憶されている制御プログラムや各種データ（処理の条件等）を読み込んで実行することにより、上記中間画像データ生成部１２０や信号切替部１３０を始めとする各ブロックの動作を制御する。
【００３７】
中間画像データ生成部１２０は、ＣＰＵ１４０からの制御指令に基づいて、映像信号ＡＶの１フレーム期間（１／６０秒）の内の後半部分（（６１〜１２０）／１２０秒）を検知し、この後半部分のサブフレーム期間（以下、「第２のサブフレーム期間」と呼ぶ）において、中間画像データの生成を行う。「中間画像」とは、映像信号ＡＶのフレームとフレームとの間の予測画像（補完画像）である。中間画像データ生成部１２０は、第２のサブフレーム期間に、メモリ読出し制御部１１２から送られてきたサブフレーム画像データＳＦｒ，ＳＦｇ、ＳＦｂと、前回処理時（１／６０秒前）に記憶しておいたサブフレーム画像データＳＦｒ（−１），ＳＦｇ（−１），ＳＦｂ（−１）とを比較し、両者の中間時刻の画像データを予測し、得られた予測画像データを中間フレーム画像データとする。
【００３８】
図３は、予測画像データの一例を示す説明図である。図中には、ボールが左下方向に移動しているときの前回処理時のＲ成分のサブフレーム画像データＳＦｒ（−１）と、今回のＲ成分のサブフレーム画像データＳＦｒとを合わせて示した。右上にあるボールＢ１が前回処理時のサブフレーム画像データＳＦｒ（−１）のもので、図中左下にあるボールＢ２が今回のサブフレーム画像データＳＦｒのものである。図中、破線Ｂ３が予測画像データで示されるボールの位置である。
【００３９】
中間画像データ生成部１２０は、動き補償の技術により、前回処理時のサブフレーム画像データＳＦｒ（−１））と今回送られてきたサブフレーム画像データＳＦｒとに基づいて、画像（ボールＢ１）の動き方向と動き量を推定し、その中間時刻（前回処理時と今回の中間の時刻）における画像（ボールＢ３）を生成する。Ｇ成分、Ｂ成分についても同様に個別に行う。
【００４０】
図２に戻って、中間画像データ生成部１２０は、こうして得られたＲ，Ｇ，Ｂの成分毎の中間フレーム画像データＭｒ，Ｍｇ，Ｍｂをフレームメモリ１５０ｒ，１５０ｇ，１５０ｂに書き込む。以下、このフレームメモリ１５０ｒ，１５０ｇ，１５０ｂを第２のフレームメモリ１５０ｒ，１５０ｇ，１５０ｂと呼び、先のフレームメモリ１１０ｒ，１１０ｇ，１１０ｂを第１のフレームメモリ１１０ｒ，１１０ｇ，１１０ｂと呼ぶ。
【００４１】
メモリ読出し制御部１５２は、各第２のフレームメモリ１５０ｒ，１５０ｇ，１５０ｂに記憶された中間フレーム画像データＭｒ，Ｍｇ，Ｍｂを読み出して、挿入画像データ生成部１７０に送る。
【００４２】
挿入画像データ生成部１７０は、前記中間フレーム画像データＭｒ，Ｍｇ，Ｍｂに加えて、黒レベル発生部１６０から、Ｒ，Ｇ，Ｂの色成分毎の黒サブフレーム画像データＫｒ，Ｋｇ，Ｋｂを受け取る。
【００４３】
黒レベル発生部１６０は、Ｒ，Ｇ，Ｂの色成分毎に、表示面全体が（すなわち、全画素が）最低輝度値で示される黒サブフレーム画像データＫｒ，Ｋｇ，Ｋｂを発生するものである。ここでいう「最低輝度値」とは、階調値が０であることを意味する。なお、最低輝度値に換えて、黒レベルとして十分な低輝度値であれば、どのような階調値とすることもできる。例えば、値１０とか値２０といった低階調値でもって全画素を構成したＲ，Ｇ，Ｂ毎の黒サブフレーム画像データを発生するものとしてもよい。
【００４４】
挿入画像データ生成部１７０は、メモリ読出し制御部１５２から受け取った中間フレーム画像データＭｒ，Ｍｇ，Ｍｂと、黒レベル発生部１６０から受け取った黒サブフレーム画像データＫｒ，Ｋｇ，Ｋｂとの中からＲ，Ｇ，Ｂの各色成分を１つずつ選び出すことで、Ｒ，Ｇ，Ｂの成分毎の挿入画像データＩｒ，Ｉｇ，Ｉｂを生成する。上記の選択は、ＣＰＵ１４０からの挿入パターンを示す制御指令に基づいて定められる。
【００４５】
図４は、挿入画像データＩｒ，Ｉｇ，Ｉｂを定める挿入パターンの一例を示す説明図である。図示するように、挿入パターンが「パターン０」のときには、Ｒの中間フレーム画像データＭｒと、Ｇの黒サブフレーム画像データＫｇと、Ｂの黒サブフレーム画像データＫｂとにより、Ｒ，Ｇ，Ｂの挿入画像データＩｒ，Ｉｇ，Ｉｂが生成される。挿入パターンが「パターン１」のときには、Ｒの黒サブフレーム画像データＫｒと、Ｇの中間フレーム画像データＭｇと、Ｂの黒サブフレーム画像データＫｂとにより、Ｒ，Ｇ，Ｂの挿入画像データＩｒ，Ｉｇ，Ｉｂが生成される。挿入パターンが「パターン２」のときには、Ｒの黒サブフレーム画像データＫｒと、Ｇの黒サブフレーム画像データＫｇと、Ｂの中間フレーム画像データＭｂとにより、Ｒ，Ｇ，Ｂの挿入画像データＩｒ，Ｉｇ，Ｉｂが生成される。
【００４６】
具体的には、挿入画像データ生成部１７０は、図４に示した挿入パターンと各挿入画像データＩｒ，Ｉｇ，Ｉｂとの関係を記憶するマップデータを予め記憶しており、ＣＰＵ１４０からの挿入パターンを示す制御指令をマップデータに照合することにより、Ｒ，Ｇ，Ｂの色成分としてどの画像データを採用するかを決定する。
【００４７】
図２に戻る。上述した中間画像データ生成部１２０、第２のフレームメモリ１５０ｒ，１５０ｇ，１５０ｂ、メモリ読出し制御部１５２、黒レベル発生部１６０および挿入画像データ生成部１７０の動作により、映像信号ＡＶの１フレーム期間の内の第２のサブフレーム期間で、ＣＰＵ１４０からの挿入パターンを示す制御指令に基ついて定まる、上記パターン０、パターン１、パターン２のいずれかの挿入画像データＩｒ，Ｉｇ，Ｉｂが生成されることになる。生成された挿入画像データＩｒ，Ｉｇ，Ｉｂは、挿入画像データ生成部１７０から信号切替部１３０に送られる。
【００４８】
信号切替部１３０は、メモリ読出し制御部１１２から送られてくるサブフレーム画像データＳＦｒ，ＳＦｇ、ＳＦｂと、挿入画像データ生成部１７０から送られてくる挿入画像データＩｒ，Ｉｇ，Ｉｂとを、ＣＰＵ１４０からの制御指令に基づいて選択する。詳細には、映像信号ＡＶの１フレーム期間（１／６０秒）の内の前半部分（（１〜６０）／１２０秒）において、メモリ読出し制御部１１２から送られてきたサブフレーム画像データＳＦｒ，ＳＦｇ、ＳＦｂを選択出力し、映像信号ＡＶの１フレーム期間（１／６０秒）の内の後半部分（（６１〜１２０）／１２０秒）において、挿入画像データＩｒ，Ｉｇ，Ｉｂを選択出力する。信号切替部１３０は、上記選択した画像データを駆動用画像データＤｒ，Ｄｇ、Ｄｂとして液晶駆動部１８０に出力する。なお、前記１フレーム期間の前半部分を、以下、「第１のサブフレーム期間」と呼ぶ。
【００４９】
液晶駆動部１８０は、信号切替部１３０から送られてくる駆動用画像データＤｒ，Ｄｇ、Ｄｂに従う駆動信号Ｓｒ、Ｓｇ、Ｓｂを、投写光学系ＯＰ（図１）に備えられる液晶ライトバルブ１０ｒ，１０ｇ，１０ｂにそれぞれ出力する。
【００５０】
Ａ−３．制御処理の手順：
ＣＰＵ１４０は、メモリ１４２に記憶されている所定のコンピュータプログラムに従う制御処理を実行することにより、制御部ＣＴ内の各ブロックを制御する。この結果、制御部ＣＴは、サブフレーム画像データＳＦｒ，ＳＦｇ、ＳＦｂと挿入画像データＩｒ，Ｉｇ，Ｉｂとを組み合わせて、Ｒ，Ｇ，Ｂの各色成分個別に黒レベルデータを挿入することができる。上記ＣＰＵ１４０により実行される制御処理について、以下に詳述する。
【００５１】
図５は、ＣＰＵ１４０により実行される制御処理を示すフローチャートである。この制御処理は、映像信号ＡＶに含まれている同期信号から定まる映像信号ＡＶの１フレーム周期の２分の１の時間（１／１２０秒）で繰り返し実行される。図示するように、処理が開始されると、ＣＰＵ１４０は、カウンタＣ１を値１だけインクリメントとする（ステップＳ１０）。カウンタＣ１は、映像信号ＡＶのフレーム数をカウントするためのもので、初期値としては値０がセットされている。
【００５２】
次いで、ＣＰＵ１４０は、映像信号ＡＶの１フレーム期間（以下、この映像信号ＡＶの１フレーム期間を単に「１フレーム期間」と呼ぶ）の内の前半部分（（１〜６０）／１２０秒）であるか、後半部分（６１〜１２０）／１２０秒）であるかを判定する（ステップＳ２０）。ここで、前半部分、すなわち第１のサブフレーム期間であると判定された場合に、信号切替部１３０を、メモリ読出し制御部１１２から送られてくるサブフレーム画像データＳＦｒ，ＳＦｇ、ＳＦｂを選択する側に切り替える（ステップＳ３０）。この結果、１フレーム期間の内の第１のサブフレーム期間においては、生画像であるサブフレーム画像データＳＦｒ，ＳＦｇ、ＳＦｂを示す駆動信号Ｓｒ、Ｓｇ、Ｓｂが液晶ライトバルブ１０ｒ，１０ｇ，１０ｂに出力される。ステップＳ３０の実行後、「リターン」に抜けて、この制御処理を一旦終了する。
【００５３】
一方、ステップＳ２０で、ＣＰＵ１４０は、１フレーム期間の後半部分、すなわち第２のサブフレーム期間であると判定された場合には、ステップＳ４０に処理を進めて、中間画像データ生成部１２０に対して、中間画像データの生成を指示する。
【００５４】
その後、ＣＰＵ１４０は、カウンタＣ１から値１を引いた数値を３で割ったときの余りを求め、その余りを変数Ｃ２として記憶する（ステップＳ５０）。カウンタＣ１が値１であるときは、０（すなわち１−１＝０）を３で割ったときの余りである値０がＣ２となる。カウンタＣ１が値２であるときは、１（すなわち２−１＝１）を３で割ったときの余りである値１がＣ２となる。カウンタＣ１が値３であるときは、２（すなわち３−１＝２）を３で割ったときの余りである値２がＣ２となる。カウンタＣ１が値４であるときは、３（すなわち４−１＝３）を３で割ったときの余りである値０がＣ２となる。すなわち、フレームの進行に従って、変数Ｃ２の値は、０，１，２を繰り返す。
【００５５】
ＣＰＵ１４０は、続くステップＳ６０で、変数Ｃ２の値を、挿入パターンを示す制御指令として挿入画像データ生成部１７０に出力する。続いて、ＣＰＵ１４０は、信号切替部１３０を、挿入画像データ生成部１７０から送られてくる挿入画像データＩｒ，Ｉｇ，Ｉｂを選択する側に切り替える（ステップＳ７０）。この結果、１フレーム期間の内の第２のサブフレーム期間においては、変数Ｃ２の値に従って「パターン０」、「パターン１」、「パターン２」と順に切り替わる挿入パターンの挿入画像データＩｒ，Ｉｇ，Ｉｂが、駆動信号Ｓｒ、Ｓｇ、Ｓｂとして液晶ライトバルブ１０ｒ，１０ｇ，１０ｂに出力される。ステップＳ７０の実行後、「リターン」に抜けて、この制御処理を一旦終了する。
【００５６】
図６は、上記制御処理に従って液晶ライトバルブ１０ｒ，１０ｇ，１０ｂに形成される各色の画像光の時間変化を、各種信号の時間変化と共に示すタイミングチャートである。図６（ａ）に、液晶ライトバルブ１０ｒ，１０ｇ，１０ｂの各画像光を示している。図６（ｂ）に、液晶駆動部１８０から出力される駆動信号Ｓｒ、Ｓｇ、Ｓｂを示している。図６（ｃ）に、映像信号ＡＶのＲ，Ｇ，Ｂの信号成分を示している。図６（ｄ）に、黒レベル発生部１６０から出力される黒サブフレーム画像データＫｒ，Ｋｇ，Ｋｂを示している。図６（ｅ）に、ＣＰＵ１４０により挿入パターンを定めるカウンタＣ１の値を示している。
【００５７】
図中、Ｔ１が映像信号の第１番目のフレーム周期である。図６（ｃ）に示すように、フレーム期間Ｔ１においては、映像信号ＡＶに含まれる１番目のフレームについての各色の信号成分（フレーム画像データ）Ｒ１，Ｇ１，Ｂ１が入力される。図６（ｂ）に示すように、フレーム期間Ｔ１の内の第１のサブフレーム期間Ｔ１ａにおいては、その信号成分Ｒ１，Ｇ１，Ｂ１が、上記１フレーム周期の２分の１に短縮された上で、駆動信号Ｓｒ，Ｓｇ，Ｓｂとして出力される。この結果、図６（ａ）に示すように、各液晶ライトバルブ１０ｒ，１０ｇ，１０ｂには、映像信号ＡＶに含まれる１番目のフレームの各色の画像光が形成される。
【００５８】
図６（ｄ）に示すように、フレーム期間Ｔ１の内の第２のサブフレーム期間Ｔ１ｂにおいては、黒レベル発生部１６０から、各色の黒サブフレーム画像データＫｒ，Ｋｇ，Ｋｂが最低輝度値として出力され、このとき、図６（ｄ）に示すように、ＣＰＵ１４０からは、挿入パターンとして「パターン０」が指示される。「パターン０」は、図４のマップデータから判るように、赤色成分においては中間フレーム画像データであり、緑色成分および青色成分においては黒サブフレーム画像データであることから、図６（ｂ）に示すように、赤色の駆動信号ＳｒはＲの中間フレーム画像データＭｒとなり、緑色駆動信号ＳｇはＧの黒サブフレーム画像データＫｇとなり、青色駆動信号ＳｂはＢの黒サブフレーム画像データＫｂとなる。この結果、図６（ａ）に示すように、Ｒの液晶ライトバルブ１０ｒにはフレーム間の中間画像データの画像光が形成され（図中では「中間」の文字で示した）、Ｇの液晶ライトバルブ１０ｇにはＧの黒サブフレーム画像データＫｇの画像光が形成され（図中ではハッチングで示した）、Ｂの液晶ライトバルブ１０ｂにはＢの黒サブフレーム画像データＫｂの画像光が形成される（図中ではハッチングで示した）。
【００５９】
図中、Ｔ２が映像信号の第２番目のフレーム周期であり、Ｔ３の映像信号の第３番目のフレーム周期である。各フレーム期間Ｔ２，Ｔ３，...においては、前述したフレーム期間Ｔ１と同様に、第１のサブフレーム周期では、映像信号ＡＶに含まれるＲ，Ｇ，Ｂの各色成分、すなわち生のフレーム画像データの画像光が各液晶ライトバルブ１０ｒ，１０ｇ，１０ｂにそのまま形成され、第２のサブフレーム期間においては、挿入パターンに応じた中間画像データもしくは黒サブフレーム画像データの画像光が各液晶ライトバルブ１０ｒ，１０ｇ，１０ｂに形成される。挿入パターンは、フレーム期間Ｔ２においては「パターン１」となり、フレーム期間Ｔ３においては「パターン２」となる。その後、図示は省略したが、周期の進行に従って、「パターン０」、「パターン１」、「パターン２」をこの順に繰り返して実行する。
【００６０】
以上のように構成された実施例では、第１のフレームメモリ１１０ｒ，１１０ｇ，１１０ｂが本発明の「フレームメモリ」に相当し、メモリ読出し制御部１１２、中間画像データ生成部１２０、信号切替部１３０、ＣＰＵ１４０、第２のフレームメモリ１５０ｒ，１５０ｇ，１５０ｂ、メモリ読出し制御部１５２、黒レベル発生部１６０および挿入画像データ生成部１７０が本発明の「駆動用画像データ生成部」に相当し、液晶駆動部１８０が本発明の「表示パネル駆動部」に相当する。
【００６１】
Ａ−４．効果：
以上説明したように、本実施例のプロジェクタＰＪによれば、映像信号ＡＶの１フレーム期間の内の第１のサブフレーム期間で、各色の１フレーム分の画像データが表示され、前記１フレーム期間の内の第２のサブフレーム期間で、黒サブフレーム画像データがＲ，Ｇ，Ｂの内の２成分に対して表示されると共に、残りの１成分に対しては中間フレームデータが表示される。このために、Ｒ，Ｇ，Ｂの全てのサブフレーム画像データに黒挿入を行う場合に比べて、黒挿入の割合を低下させることができる。したがって、輝度低下を抑えることができ、それにもかかわらず、黒挿入による動画ボケの抑制を行うことができる。また、上記のように中間画像データを表示することにより、表示映像をより滑らかなものとすることができる。
【００６２】
なお、本実施例では、挿入パターンの繰り返しの周期は、映像信号の３フレーム期間とし、この３フレーム期間において、黒サブフレーム画像データが表示される回数が各色成分で均一となるように構成されている。ここでいう「３フレーム期間」とは、映像信号の１フレーム期間を色成分の数３だけ足し加えた期間である。この構成により、黒挿入の割合を色成分毎に同一とすることができる。
【００６３】
Ｂ．第２実施例：
図７は、第２実施例におけるプロジェクタに備えられる制御部の一部分を示すブロック図である。図中には、挿入画像データ生成部２７０とその周辺を示している。図示では省略しているが、第１実施例における挿入画像データ生成部１７０以外の構成をこの第２実施例でも同様に備える。
【００６４】
第１実施例では、前述したように、挿入画像データ生成部１７０は、挿入パターンと各挿入画像データＩｒ，Ｉｇ，Ｉｂとの関係（図４参照）を記憶するマップデータを１つ予め記憶していたが、これに換えて、この第２実施例では、ライブラリ部２７２に複数のマップデータを予め記憶しておき、挿入画像データ生成部１７０は、ライブラリ部２７２から所望のマップデータを、マップデータ取得部２７０ａにより取得する構成とする。ライブラリ部２７２には、例えば、「マップデータＡ」と「マップデータＢ」とが記憶されているものとする。「マップデータＡ」は、ここでは、第１実施例と同一のマップデータであるものとする。
【００６５】
図８は、マップデータＢについての挿入パターンと各挿入画像データＩｒ，Ｉｇ，Ｉｂとの関係を示す説明図である。図示するように、挿入パターンが「パターン０」のときには、Ｒの中間フレーム画像データＭｒと、Ｇの中間フレーム画像データＭｇと、Ｂの黒サブフレーム画像データＫｂとにより、Ｒ，Ｇ，Ｂの挿入画像データＩｒ，Ｉｇ，Ｉｂが生成される。挿入パターンが「パターン１」のときには、Ｒの黒サブフレーム画像データＫｒと、Ｇの中間フレーム画像データＭｇと、Ｂの中間フレーム画像データＭｂとにより、Ｒ，Ｇ，Ｂの挿入画像データＩｒ，Ｉｇ，Ｉｂが生成される。挿入パターンが「パターン２」のときには、Ｒの中間フレーム画像データＭｒと、Ｇの黒サブフレーム画像データＫｇと、Ｂの中間フレーム画像データＭｂとにより、Ｒ，Ｇ，Ｂの挿入画像データＩｒ，Ｉｇ，Ｉｂが生成される。
【００６６】
この結果、マップデータＡによれば、Ｒ，Ｇ，Ｂの内の２成分に対して黒サブフレーム画像データに基づく画像表示が行なわれ、他の１成分に対して中間画像データに基づく画像表示が行なわれる。マップデータＢによれば、Ｒ，Ｇ，Ｂの内の１成分に対して黒サブフレーム画像データに基づく画像表示が行なわれ、他の２成分に対して中間画像データに基づく画像表示が行なわれる。
【００６７】
マップデータ取得部２７０ａは、信号変換回路１０２からの映像信号ＡＶのデジタル信号を入力して、表示しようとする映像が暗いものか明るいものかを判定し、この判定結果に基づいて、マップデータＡ、マップデータＢのいずれを選択するかを決定する。具体的には、暗いものと判定された場合には、黒挿入の割合をより少なくすべくマップデータＢを選択し、明るいものと判定された場合には、黒挿入の割合を比較的多くすべくマップデータＡを選択する。
【００６８】
なお、映像信号の明るさに基づいて決定することは一例であり、これに換えて、例えば、映像信号の種類、すなわち、パーソナルコンピュータ入力なのか、ビデオ信号入力なのかといった種類等の他の条件によって上記の決定を行う構成としてもよい。さらに、映像信号以外の情報に基づいて、マップデータＡ、マップデータＢのいずれを選択するかを定める構成としてもよい。さらには、操作者によるスイッチ等の操作に基づいて、マップデータＡ、マップデータＢのいずれを選択するかを定める構成としてもよい。また、ライブラリ部２７２に２つのマップデータを記憶したが、２つに限る必要はなく、より多くのマップデータを予め記憶する構成としてもよい。
【００６９】
こうした構成の第２実施例によれば、第１実施例と同様に、輝度低下を抑えつつ、黒挿入による動画ボケの抑制を行うことができる。さらに、本実施例では、黒挿入パターンを２種類の中から映像の明るさに基づいて選択することができることから、映像を高品質なものとすることができる。
【００７０】
Ｃ．第１、第２実施例の変形例：
（ｉ）前記第１実施例では、黒挿入の挿入パターンとして、映像信号の１フレームの期間においてＲ，Ｇ，Ｂの３成分の内の２成分に対して黒挿入を行うものとし、その２成分の組み合わせは時間経過に従って順次切り替える構成とし、前記第２実施例では、黒挿入の挿入パターンとして、１フレームの期間においてＲ，Ｇ，Ｂの３成分の内の１成分に対して黒挿入を行うものとし、その１成分を時間経過に従って順次切り替える構成としていた。これらに換えて、２以上のフレーム期間において１成分または２成分に対して黒挿入を行うものとし、それら黒挿入を行う成分を時間経過に従って順次切り替える構成としてもよい。
【００７１】
（ii）また、前記第１実施例および第２実施例では、映像信号ＡＶの１フレーム期間の内の第１のサブフレーム期間で、生のフレーム画像データの表示を行い、その１フレーム期間の内の第２のサブフレーム期間で、挿入パターンに応じた中間画像データもしくは黒サブフレーム画像データの表示を行うようにしていたが、これに換えて、前記第１のサブフレーム期間で、前記中間画像データもしくは黒サブフレーム画像データの表示を行い、前記第２のサブフレーム期間で生のフレーム画像データの表示を行うようにしてもよい。さらには、１フレーム期間を３分割（１／１８０秒）あるいは４分割（１／２４０秒）等して、それら分割した１サブフレーム期間に黒サブフレーム画像データを表示する構成としてもよい。
【００７２】
Ｄ．第３実施例：
前記第１実施例および第２実施例では、１フレーム期間の内の第２のサブフレーム期間に、Ｒ，Ｇ，Ｂの３成分のうちの２成分もしくは１成分において、表示面全体が最低輝度値となる黒サブフレーム画像データを表示し、他の色成分において、サブフレーム画像データに基づく画像データ（ここでは中間フレーム画像データ）を表示する構成であったが、これに換えて、各色成分の一つの表示面の中で、表示部分（生画像データ）と非表示部分（黒挿入部分）とを含ませる構成としてもよい。換言すれば、前記第１実施例および第２実施例では、黒レベルとしての低輝度値で示される黒レベル画像データを表示面全体に構成した黒サブフレーム画像データを挿入していたが、これに換えて、前記黒レベルデータを表示面全体の一部分に挿入する構成としてもよい。以下、詳細に説明する。
【００７３】
図９は、第３実施例における各色の画像光の時間変化を示すタイミングチャートである。第３実施例においては、第１および第２実施例と同様に、Ｒ，Ｇ，Ｂの各成分に対応する３つの液晶ライトバルブに、Ｒ，Ｇ，Ｂのそれぞれの画像光が形成される。この画像光の時間変化が図中に示されている。
【００７４】
図中、Ｔ１が映像信号の第１番目のフレーム周期である。本実施例においても、第１実施例と同様な構成によって、映像信号ＡＶに含まれている同期信号から定まるフレーム周期の２倍速（１／１２０秒）でフレームメモリから読み出しを行う。この読み出しによって得られた各色の１フレーム分の画像データ、すなわち、サブフレーム画像データ（以下、単に「生画像データ」とも呼ぶ）に黒挿入を図る。
【００７５】
図９に示すように、フレーム期間Ｔ１の内の前半部分（第１のサブフレーム期間）Ｔ１ａにおいて、Ｒ成分は、映像信号に含まれる１番目のフレームの内の上半分が最低輝度値となって黒挿入がなされており（図中、ハッチングで示した。上記非表示部分に相当する。以下同様）、下半分については生画像データとなっている。Ｇ成分は、１番目のフレームの全部が生画像データとなっている（上記表示部分に相当する。以下同様）。Ｂ成分は、１番目のフレームの内の上半分が生画像データとなり、下半分については最低輝度値となって黒挿入がなされている。このＲ，Ｇ，Ｂ成分の表示の態様を「パターンＡ」と呼ぶ。
【００７６】
映像表示は、映像を構成する各走査線を上部から下部に向かって順に表示することによって行なわれる。各走査線を構成する画素は、左側の画素から右側の画素に向かって順に表示される。したがって、１フレーム内の上半分に黒挿入を行う場合には、上半分に対応する各走査線を表示する際に最低輝度値に変換して表示を行い、１フレーム内の下半分に黒挿入を行う場合には、下半分に対応する各走査線を表示する際に最低輝度値に変換して表示を行う。なお、第１実施例と同様に、最低輝度値に換えて、黒レベルとしての低輝度値としてもよい。上記黒挿入がなされている部分が本発明でいう「黒レベル画像データ」である。
【００７７】
図中、フレーム期間Ｔ１の内の後半部分（第２のサブフレーム期間）Ｔ１ｂにおいて、Ｒ成分は、映像信号に含まれる１番目のフレームの内の上半分が生画像データとなり、下半分については最低輝度値となって黒挿入がなされている。Ｇ成分は、映像信号に含まれる１番目のフレームの内の上半分が最低輝度値となって黒挿入がなされており、下半分については生画像データとなっている。Ｂ成分は、１番目のフレームの全部が生画像データとなっている。このＲ，Ｇ，Ｂ成分の表示の態様を「パターンＢ」と呼ぶ。
【００７８】
図中、Ｔ２が映像信号の第２番目のフレーム周期である。フレーム期間Ｔ２の内の第１のサブフレーム期間Ｔ２ａにおいて、Ｒ成分は、映像信号に含まれる２番目のフレームの全部が生画像データとなっている。Ｇ成分は、２番目のフレームの内の上半分が生画像データとなり、下半分については最低輝度値となって黒挿入がなされている。Ｂ成分は、２番目のフレームの内の上半分が最低輝度値となって黒挿入がなされており、下半分については生画像データとなっている。このＲ，Ｇ，Ｂ成分の表示の態様を「パターンＣ」と呼ぶ。
【００７９】
図中、フレーム期間Ｔ２の内の第２のサブフレーム期間Ｔ２ｂにおけるＲ，Ｇ，Ｂ成分の表示の態様は前述した「パターンＡ」となる。図中、Ｔ３が映像信号の第３番目のフレーム周期である。フレーム期間Ｔ３の内の第１のサブフレーム期間Ｔ３ａにおけるＲ，Ｇ，Ｂ成分の表示の態様は前述した「パターンＢ」となる。フレーム期間Ｔ３の内の第２のサブフレーム期間Ｔ３ｂにおけるＲ，Ｇ，Ｂ成分の表示の態様は前述した「パターンＣ」となる。その後、周期の進行に従って、「パターンＡ」、「パターンＢ」、「パターンＣ」をこの順に繰り返して実行する。
【００８０】
上述した表示のパターンによれば、映像信号の１フレーム期間内においては、Ｒ，Ｇ，Ｂの３成分全てにおいて、各色の１フレーム分の画像データが必ず表示される。例えば、第１のフレーム期間Ｔ１においては、Ｒ成分とＢ成分は、第１のサブフレーム期間Ｔ１ａと第２のサブフレーム期間Ｔ１ｂとの合計で各色の１フレーム分の画像データが表示されており、Ｇ成分に至っても１フレーム分の画像データは表示されている。すなわち、映像信号の１フレーム期間に含まれる複数のサブフレーム期間の合計で各色の１フレーム分の画像データがそれぞれ表示される。
【００８１】
その上で、映像信号の１フレーム期間の内の各サブフレーム期間において、特定の色成分（例えば、第１のフレーム期間Ｔ１においてはＲ成分とＢ成分）では、黒レベルデータがフレームの一部分にされ、特定の色成分を除く他の色成分（第１のフレーム期間Ｔ１においてはＧ成分）では、サブフレーム画像データが表示される。
【００８２】
以上のように構成された第３実施例によれば、黒挿入を各色の全画面に対して行ったときに比べて、黒挿入の割合を低下させることができる。したがって、輝度低下を抑えることができ、それにもかかわらず、黒挿入による動画ボケの抑制を行うことができる。なお、本実施例では、１画面中の一部分に対して黒挿入を行う構成であることから、黒挿入のパターンを種々に変化させたい要求に対応することが容易である。
【００８３】
本実施例では、１画面を２等分して上半分もしくは下半分に対して黒挿入を行う構成としているが、これに換えて、１画面を３等分以上の数に分割して、その分割部分に黒挿入を行う構成としてもよい。また、１フレーム期間を３以上の数のサブフレーム期間に分割し、各サブフレーム期間において、黒挿入がフレームの一部に施された特定の色成分のサブフレーム画像データと、生画像データが表示された他の色成分のサブフレーム画像データとを表示する構成としてもよい。なお、上記のように、分割した複数のサブフレーム期間のそれぞれにおいて上記表示を行う構成に換えて、複数のサブフレーム期間の少なくとも１つにおいて、上記表示を行う構成としてもよい。また、上記の他の色成分のサブフレーム画像データは、生画像データ（サブフレーム画像データ）を表示する構成に限る必要もなく、サブフレーム画像データに基づいて加工した画像データ、例えば、第１実施例に用いた中間画像データを表示する構成としてもよい。
【００８４】
Ｅ．他の変形例：
（１）上記第１ないし第３実施例において、表示パネルとしての液晶ライトバルブは、いわゆる透過型ライトバルブであったが、これに換えて反射型ライトバルブの構成としてもよい。また、表示パネルは、液晶ライトバルブ等の液晶パネルに限る必要もなく、ＤＭＤ（デジタルミラーデバイス、ＴＩ社の登録商標）などのマイクロミラー型光変調デバイスなどを用いることもできる。
【００８５】
（２）前記各実施例では、画像信号は、Ｒ，Ｇ，Ｂの３原色の映像信号によって表されるが、必ずしも、３原色に限る必要はなく他の色成分によって表される映像に対しても本発明を適用することができる。またモノクロ画像であってもよい。さらに、動画である映像信号に換えて、静止画の画像に本発明を適用することもできる。
【００８６】
（３）本発明は、プロジェクタ以外の、種々のカラー画像表示装置に適用可能である。例えば、本発明は、監視者が表示デバイスを直視する直視型のカラー画像表示装置や、空間に形成された像を観察する空間像型のカラー画像表示装置にも適用可能である。直視型のカラー画像表示装置としては、コンピュータ用の表示ディスプレイや、車載小型モニタ、デジタルカメラのビューファインダ、携帯電話用の表示部などがある。また、空間像型のカラー画像表示装置としては、ヘッドマウントディスプレイがある。
【００８７】
以上、実施例、変形例に基づき本発明について説明してきたが、上記した発明の実施の形態は、本発明の理解を容易にするためのものであり、本発明を限定するものではない。本発明は、その趣旨並びに特許請求の範囲を逸脱することなく、変更、改良され得ると共に、本発明にはその等価物が含まれる。
【図面の簡単な説明】
【００８８】
【図１】第１実施例におけるプロジェクタＰＪの概略構成を示す説明図である。
【図２】制御部ＣＴの構成を示すブロック図である。
【図３】予測画像データの一例を示す説明図である。
【図４】挿入画像データＩｒ，Ｉｇ，Ｉｂを定める挿入パターンの一例を示す説明図である。
【図５】ＣＰＵ１４０により実行される制御処理を示すフローチャートである。
【図６】制御処理に従って液晶ライトバルブ１０ｒ，１０ｇ，１０ｂに形成される各色の画像光の時間変化を各種信号の時間変化と共に示すタイミングチャートである。
【図７】第２実施例におけるプロジェクタに備えられる制御部の一部分を示すブロック図である。
【図８】マップデータＢについての挿入パターンの一例を示す説明図である。
【図９】第３実施例における各色の画像光の時間変化を示すタイミングチャートである。
【符号の説明】
【００８９】
１０ｂ...液晶ライトバルブ、１０ｇ...液晶ライトバルブ、１０ｒ...液晶ライトバルブ、２０...光源ランプ、３０...照明光学系、４０...ダイクロイックミラー、６０...ダイクロイックプリズム、７０...投写レンズ、１０２...信号変換回路、１０４...メモリ書込み制御部、１１０ｒ...第１のフレームメモリ、１１０ｇ...第１のフレームメモリ、１１０ｂ...第１のフレームメモリ、１１２...メモリ読出し制御部、１２０...中間画像データ生成部、１３０...信号切替部、１４０...ＣＰＵ、１４２...メモリ、１５０ｒ...フレームメモリ、１５０ｒ...第２のフレームメモリ、１５０ｇ...第２のフレームメモリ、１５０ｂ...第２のフレームメモリ、１５２...メモリ読出し制御部、１６０...黒レベルデータ発生部、１７０...挿入画像データ生成部、１８０...液晶駆動部、２７０...挿入画像データ生成部、２７０ａ...マップデータ取得部、２７２...ライブラリ部、ＰＪ...プロジェクタ、ＯＰ...投写光学系、ＣＴ...制御部、ＡＶ...映像信号、ＦＬｒ...フレーム画像データ、ＦＬｇ...フレーム画像データ、ＦＬｂ...フレーム画像データ、ＳＦｒ...サブフレーム画像データ、ＳＦｇ...サブフレーム画像データ、ＳＦｂ...サブフレーム画像データ、Ｋｒ...黒サブフレーム画像データ、Ｋｇ...黒サブフレーム画像データ、Ｋｂ...黒サブフレーム画像データ、Ｍｒ...中間フレーム画像データ、Ｍｇ...中間フレーム画像データ、Ｍｂ...中間フレーム画像データ、Ｓｒ...制御信号、Ｓｇ...制御信号、Ｓｂ...制御信号
【図１】
0005338093.tif 000002
【図２】
0005338093.tif 000003
【図３】
0005338093.tif 000004
【図４】
0005338093.tif 000005
【図５】
0005338093.tif 000006
【図６】
0005338093.tif 000007
【図７】
0005338093.tif 000008
【図８】
0005338093.tif 000009
【図９】
0005338093.tif 000010